(57)【要約】【課題】非接触式センサを働かせるためのエネルギーに関する無駄をなくすことができ、さらにスライドドアの閉方向スライド時の誤作動を無くすことが可能な車両ドアのスライドドア制御装置を提供する。【解決手段】スライドドア１２の開方向端面に設けた障害物の存在を感知するための感度を調整可能な非接触式センサＳ１と、スライドドアのスライド方向を検知するスライド方向検知手段Ｃと、スライド方向検知手段が開方向スライドを検知したとき閉方向スライドを検知した場合に比べて非接触式センサの感知感度を高くするセンサ感度調整手段Ｃと、を備える。【選択図】図２
2007308008.tif 000002
【特許請求の範囲】
【請求項１】
車両ボディにスライド可能に支持したスライドドアの開方向端面に設けた、障害物の存在を感知するための感度を調整可能な非接触式センサと、
上記スライドドアが開方向と閉方向のいずれにスライドしているかを検知するスライド方向検知手段と、
該スライド方向検知手段が開方向スライドを検知したとき、該スライド方向検知手段が閉方向スライドを検知した場合に比べて上記非接触式センサの感知感度を高くするセンサ感度調整手段と、
を備えることを特徴とする車両ドアのスライドドア制御装置。
【請求項２】
請求項１記載の車両ドアのスライドドア制御装置において、
上記スライド方向検知手段が閉方向スライドを検知したとき、上記センサ感度調整手段が、スライドドアが全閉位置に位置したときに上記非接触式センサが車両ボディ側の対向部を感知しないレベルまで該非接触式センサの感知感度を下げる車両ドアのスライドドア制御装置。
【請求項３】
請求項１または２記載の車両ドアのスライドドア制御装置において、
上記スライド方向検知手段が閉方向スライドを検知したとき、上記センサ感度調整手段が、上記非接触式センサを障害物が直接接触したときのみ反応する接触モードに切り換える車両ドアのスライドドア制御装置。
【請求項４】
請求項１から３のいずれか１項記載の車両ドアのスライドドア制御装置において、
上記車両ボディに設けた、上記スライドドアが全閉位置に位置するときに該スライドドアから見て開方向側に位置し、かつ開放状態において上記非接触式センサが所定距離まで近づいたときに該非接触式センサが感知可能である開閉自在なフューエルリッドと、
該フューエルリッドが開いている状態で上記スライドドアが開方向スライドすることにより上記非接触式センサが該フューエルリッドを感知したときに、上記スライドドアを停止させる強制停止手段と、を備える車両ドアのスライドドア制御装置。
【発明の詳細な説明】
【技術分野】
【０００１】
本発明は、スライドドアが開閉時に障害物と接触するのを防止するための車両ドアのスライドドア制御装置に関する。
【背景技術】
【０００２】
車両のスライドドアにセンサを設けることにより、スライドドア開閉時にスライドドアが障害物と接触しないようにしたものは従来から提案されている（例えば、特許文献１）。
出願人は従来のセンサ付きスライドドアを発展させ、スライドドアの開方向側端面に非接触式センサ（例えば、静電容量式非接触センサ）を取り付ける発明を考案した。
【０００３】
この非接触式センサ付きのスライドドアは、例えば、全閉位置にあるスライドドアの開方向側にフューエルリッドを設け、さらにスライドドアをモータの駆動力によってスライドさせる車両に適用可能である。このような構成とすることにより、フューエルリッドが開いている状態でスライドドアを開方向にスライドさせると、非接触式センサがフューエルリッドに接触する前にフューエルリッドを感知するので、スライドドアがフューエルリッドに接触するのを未然に防ぐことができる。また、スライドドアを全閉位置側にスライドさせたときにスライドドアとドア開口との間に衣服等が挟み込まれた場合には、非接触式センサが衣服等を感知することによりモータの回転を停止させることが可能になる。
【特許文献１】特開平７−７６２２０号公報
【発明の開示】
【発明が解決しようとする課題】
【０００４】
上述のように、スライドドアの開方向側端面に非接触式センサを取り付けることにより有用な効果が得られる。
しかし、スライドドアの開方向側端面が障害物（フューエルリッドや衣服等）と接触する確率は、スライドドアの開方向時に比べて閉方向時は低いことが知られている。従って、非接触式センサの感知感度を常に一定となるように設定すると非接触式センサを働かせるためのエネルギーを無駄に消費してしまい、しかもスライドドアの閉方向スライド時に誤作動を起こすおそれもある。
【０００５】
本発明の目的は、非接触式センサを働かせるためのエネルギーに関する無駄をなくすことができ、さらにスライドドアの閉方向スライド時の誤作動を無くすことが可能な車両ドアのスライドドア制御装置を提供することにある。
【課題を解決するための手段】
【０００６】
本発明の車両ドアのスライドドア制御装置は、車両ボディにスライド可能に支持したスライドドアの開方向端面に設けた、障害物の存在を感知するための感度を調整可能な非接触式センサと、上記スライドドアが開方向と閉方向のいずれにスライドしているかを検知するスライド方向検知手段と、該スライド方向検知手段が開方向スライドを検知したとき、該スライド方向検知手段が閉方向スライドを検知した場合に比べて上記非接触式センサの感知感度を高くするセンサ感度調整手段と、を備えることを特徴としている。
【０００７】
上記スライド方向検知手段が閉方向スライドを検知したとき、上記センサ感度調整手段が、スライドドアが全閉位置に位置したときに上記非接触式センサが車両ボディ側の対向部を感知しないレベルまで該非接触式センサの感知感度を下げるようにすれば、スライドドアが全閉位置に達したときに非接触式センサが誤検知を起こすのを防止できる。
【０００８】
上記スライド方向検知手段が閉方向スライドを検知したとき、上記センサ感度調整手段が、上記非接触式センサを障害物が直接接触したときのみ反応する接触モードに切り換えるようにしてもよい。
【０００９】
上記車両ボディに設けた、上記スライドドアが全閉位置に位置するときに該スライドドアから見て開方向側に位置し、かつ開放状態において上記非接触式センサが所定距離まで近づいたときに該非接触式センサが感知可能である開閉自在なフューエルリッドと、該フューエルリッドが開いている状態で上記スライドドアが開方向スライドすることにより上記非接触式センサが該フューエルリッドを感知したときに、上記スライドドアを停止させる強制停止手段と、を備えるようにしてもよい。
【発明の効果】
【００１０】
本発明によると、スライドドアが開方向にスライドしているときは非接触センサの感知感度を高くし、スライドドアが閉方向にスライドしているときは非接触センサの感知感度を開方向スライド時より低くする。従って、閉方向スライド時に比べて障害物が接触するおそれが高いスライドドアの開方向スライド時にはスライドドアが障害物に接触するのを確実に防止できる。また、開方向スライド時に比べて障害物が接触するおそれが低いスライドドアの閉方向スライド時には、非接触センサを機能させるためのエネルギー（電力）を開方向スライド時に比べて抑制できるので、省エネルギー化を図ることができる。さらに、閉方向スライド時には、非接触センサの感知感度を下げるので、ドア開口とスライドドアの間に障害物（衣服等）が挟まれていないにも拘わらず、非接触式センサが車両ボディ側の対向部（例えばドア開口の周縁部）を障害物として誤検知することがない。
【発明を実施するための最良の形態】
【００１１】
以下、図１〜図５を利用して本発明の第１の実施形態について説明する。なお、以下の説明中の前後の方向は、図１に記載した矢印の方向を基準としている。
自動車１０の車両ボディ側面にはドア開口１１が形成してあり、ドア開口１１の周縁部全体にはウェザーストリップＷＳが貼着してある（図３及び図４参照）。このドア開口１１の上下両縁部と車両ボディの車外側面のドア開口１１の後方部分とには前後方向に延びる３本のスライドレール１３、１４が設けてあり、各スライドレール１３、１４がドア開口１１と略同形状のスライドドア１２を前後方向にスライド可能に支持している。スライドドア１２はドア開口１１を塞ぐ全閉位置（図１及び図３の位置）から後方に移動することによりドア開口１１を全開にする全開位置までスライド可能である。
車両ボディ側面には、ドア開口１１の後方に位置する開口１５が穿設してあり、この開口１５には該開口１５と略同形状のフューエルリッド１６が開閉自在に設けてある。このフューエルリッド１６を開放することにより開口１５の内部に配設した燃料タンク（図示略）に燃料を供給することができる。車内の運転席近傍にはオープンスイッチが設けてあり、このオープンスイッチを操作すると全閉位置にあるフューエルリッド１６が全開位置まで自動的に回転する。
自動車１０は、スライドドア１２が全閉位置に位置していることを検知する全閉検知センサと、スライドドア１２が全開位置に達したことを検知する全開検知センサとを備えており（共に図示は省略）、全閉検知センサ及び全開検知センサは共に車両ボディに設けたＣＰＵ等によって構成される制御手段Ｃ（図１参照）に電気的に接続している。
【００１２】
自動車１０にはスライドドア１２を開方向（後方）及び閉方向（前方）にスライドさせるための駆動機構が設けてある。この駆動機構は正逆両方向に回転可能なモータＭを具備しており、スライドドア１２はこのモータＭの駆動力によってスライドする。さらに、スライドドア１２の車内側面または（及び）車両ボディの車内側面にはモータＭを操作するためのインナスイッチ１７が設けてあり、ドア開口１１の車外側面にはモータＭを操作するためのアウタスイッチ１８が設けてある。これらインナスイッチ１７とアウタスイッチ１８は制御手段Ｃを介してモータＭと電気的に接続している。さらにモータＭは、この制御手段Ｃを無線操作可能なワイヤレスリモコン１９（図１参照）によっても回転操作可能である。
このようにスライドドア１２はモータＭの駆動力を利用して開閉操作可能であるが、手動操作によって開閉方向にスライドさせることも可能である。
【００１３】
図２に示すように、スライドドア１２の後端面（開方向端面）全体には制御手段Ｃと電気的に接続された静電容量式非接触センサＳ１が固着してある（後面全体が感知面Ｓ１ａ）。静電容量式非接触センサＳ１は制御手段Ｃから供給される電力を利用した非接触式センサであり、静電容量式非接触センサＳ１から離れたもの（静電容量式非接触センサＳ１に接触していないもの）も感知可能であるが、制御手段Ｃの制御によりその感知感度を落とすことにより、静電容量式非接触センサＳ１の感知面Ｓ１ａに直接接触したもののみを感知する接触モードに切り換えて使用することも可能である。
【００１４】
次に図５のフローチャートを利用しながら本実施形態の動作について説明する。
スライドドア１２が全閉位置に位置するときにインナスイッチ１７、アウタスイッチ１８、ワイヤレスリモコン１９のいずれかを操作してモータＭを正転させると、スライドドア１２が全閉位置から後方にスライドし、ドア開口１１が徐々に開放される（ステップ１）。すると制御手段（スライド方向検知手段）Ｃが、モータＭの回転方向に基づいてスライドドア１２が開方向にスライドしているか否かを判断する（ステップ２）。このステップ２で制御手段Ｃが、スライドドア１２が開方向にスライドしていると判定すると、制御手段（センサ感度調整手段）Ｃが静電容量式非接触センサＳ１の感知感度（障害物の存在を感知するための感度）を上げ高感度非接触モードにする（静電容量式非接触センサＳ１に供給する電力量を上げる）（ステップ３）。
次いでステップ４において、静電容量式非接触センサＳ１の検出結果が所定のしきい値を超えたか（静電容量式非接触センサＳ１が障害物を感知したか）否かを制御手段Ｃが判定する。例えば、フューエルリッド１６がスライドドア１２の後方において開放状態にあったり、あるいは人がスライドドア１２の直後に立っている場合に、静電容量式非接触センサＳ１の感知面Ｓ１ａとこれら障害物（フューエルリッド１６、人等）の距離が所定距離まで近づくと、制御手段Ｃは静電容量式非接触センサＳ１の検出結果がしきい値を超えたと判定する。しきい値を超えたと判定すると、制御手段Ｃがモータ（強制停止手段）Ｍの回転を停止し、スライドドア１２を停止させる（ステップ５）。
一方、ステップ４において制御手段Ｃがしきい値を超えていないと判定すると、制御手段Ｃが上記全開検知センサの検出結果を利用してスライドドア１２が全開位置に達したか否かを判定する（ステップ６）。スライドドア１２が全開位置（スライドドア１２の後端部がフューエルリッド１６の後方に達する位置）に位置していると判定すると、制御手段ＣはモータＭの回転を停止する（ステップ５）。一方ステップ６において、スライドドア１２が全開位置に達していないと判定すると、ステップ４に戻って静電容量式非接触センサＳ１の検出結果がしきい値を超えたか否かを判定する。
【００１５】
一方、ステップ１においてスライドドア１２が開放状態にあるときにインナスイッチ１７、アウタスイッチ１８、ワイヤレスリモコン１９のいずれかによってモータＭを逆転させてスライドドア１２を閉方向にスライドさせると、ステップ２において制御手段Ｃがスライドドア１２が閉方向にスライドしていると判定する。すると、制御手段（センサ感度調整手段）Ｃが静電容量式非接触センサＳ１の感知感度を下げて（静電容量式非接触センサＳ１に供給する電力量を下げて）、静電容量式非接触センサＳ１を接触モードに切替える（ステップ７）。
次いでステップ８において、静電容量式非接触センサＳ１の検出結果が所定のしきい値を超えたか（静電容量式非接触センサＳ１に人やその他の障害物が接触しているか）否かを制御手段Ｃが判定する。このステップで、例えば図４に示すようにドア開口１１の開口縁部とスライドドア１２の後端部の間に人の衣服（障害物）が挟まれこの衣服が静電容量式非接触センサＳ１に接触していると、制御手段Ｃは静電容量式非接触センサＳ１の検出結果がしきい値を超えたと判定する。しきい値を超えたと判定すると、制御手段Ｃがモータ（強制開放手段）Ｍを逆方向に回転（正転）させ（ステップ９）、スライドドア１２が所定位置まで開方向スライドしたらモータＭを停止させる（ステップ５）。なお、このステップ９におけるモータＭの正転方向への回転量は常に一定であってもよいし、静電容量式非接触センサＳ１が障害物を感知したときのスライドドア１２の位置によって変えても良い。
【００１６】
ステップ８において、静電容量式非接触センサＳ１の検出結果が所定のしきい値を超えていない（静電容量式非接触センサＳ１に人やその他の障害物が接触していない）と制御手段Ｃが判定すると、制御手段Ｃが上記全閉検知センサの検出結果を利用してスライドドア１２が全閉位置に達したか否かを判定する（ステップ１０）。ここで制御手段Ｃがスライドドア１２が全閉位置に達したと判定すると、制御手段ＣはモータＭの回転を停止する（ステップ５）。一方、ステップ１０において制御手段Ｃが全閉位置に達していないと判定すると、ステップ８に戻って静電容量式非接触センサＳ１の検出結果がしきい値を超えたか否かを判定する。
【００１７】
このように本実施形態では、スライドドア１２が開方向にスライドしているときは静電容量式非接触センサＳ１の感知感度を高くし、スライドドア１２が閉方向にスライドしているときは静電容量式非接触センサＳ１の感知感度を開方向スライド時より低くしている（接触モードにしている）。そのため、閉方向スライド時に比べて障害物が接触するおそれが高いスライドドア１２の開方向スライド時にはスライドドア１２が障害物に接触するのを確実に防止できる。また、開方向スライド時に比べて障害物が接触するおそれが低いスライドドア１２の閉方向スライド時には、静電容量式非接触センサＳ１を働かせるためのエネルギー（電力）を開方向スライド時に比べて抑制できるので、省エネルギー化を図ることができる。
さらに、閉方向スライド時には、静電容量式非接触センサＳ１の感知感度を下げるので、ドア開口１１の開口縁部とスライドドア１２の間に障害物（衣服等）が挟まれていないにも拘わらず、静電容量式非接触センサＳ１が例えばドア開口１１の周縁部（対向部）を障害物として誤検知することがない。従って、全閉位置までスライドしたスライドドア１２が、モータＭにより誤って開方向にスライドさせられてしまうことはない。
【００１８】
なお、上記実施形態においてはスライドドア１２をモータＭの駆動力によってスライドさせているが、上述のようにスライドドア１２は手動によって開閉操作可能である。手動によってスライドドア１２を開閉する場合は、モータＭはステップ９においてのみ利用する。
また、この実施形態ではスライドドア１２が閉方向スライドするときに静電容量式非接触センサＳ１を接触式センサとなるまで感知感度を下げている。しかし、図３に示す全閉状態において静電容量式非接触センサＳ１が車両ボディ側の対向部（例えば、ドア開口１１の後端縁部）を感知しない程度まで感知感度を下げれば、静電容量式非接触センサＳ１を非接触式センサのまま利用してもよい。
さらに、本実施形態ではスライドドア１２の開方向が後方なのでスライドドア１２の後端面に静電容量式非接触センサＳ１を設けたが、スライドドア１２の開方向が前方の場合は、スライドドア１２の前端面に静電容量式非接触センサＳ１を設けて実施する。
また、本実施形態ではスライドドア１２の後端面（開方向側端面）全体に静電容量式非接触センサＳ１を設けたが、スライドドア１２の後端面の一部のみ（例えば、フューエルリッド１６と同じ高さの部分（フューエルリッド１６を検知可能な位置）や下端部など）に静電容量式非接触センサＳ１を設けて実施してもよい。
【００１９】
また、駆動機構（モータＭ）とは別に、スライドドア１２が所定の全閉位置近傍に達したときに駆動してスライドドア１２を全閉位置まで強制的に移動させる、上記制御手段Ｃによって制御されるクローザ機構（図示略）を設けて実施してもよい。この場合は、スライドドア１２が全閉位置近傍に達したときに、制御手段ＣがモータＭを停止させると共にクローザ機構のクローザモータを回転させ、このクローザモータの回転力によりスライドドア１２を全閉位置まで移動させる。
そしてこの場合は、スライドドア１２が全閉位置近傍に位置するときに、ステップ９において静電容量式非接触センサＳ１の検出結果がしきい値を超えたと制御手段Ｃが判定（ステップ９）した場合には、制御手段Ｃはクローザ機構（クローザモータ）を動作させずにモータＭを正転させ、スライドドア１２を開方向にスライドさせる。
【００２０】
次に本発明の第２の実施形態について図６及び図７を参照しながら説明する。なお、第１の実施形態と同じ部材には同じ符合を付すに止めて、その詳細な説明は省略する。
スライドドア１２の上部に形成した窓孔２０に設けたスライド窓２１は、窓孔２０を全閉する全閉位置と、窓孔２０を全開にする全開位置との間を昇降可能である。さらに、窓孔２０の下縁部を除く周縁部には静電容量式非接触センサＳ２が固着してあり、スライドドア１２の前縁部には静電容量式非接触センサＳ３が固着してある。これら静電容量式非接触センサＳ２と静電容量式非接触センサＳ３は共に制御手段Ｃと電気的に接続している。
【００２１】
本実施形態では、スライドドア１２とスライド窓２１が全閉位置に位置しているか否かによって、静電容量式非接触センサＳ２と静電容量式非接触センサＳ３の感知感度を調整して静電容量式非接触センサＳ２と静電容量式非接触センサＳ３を感知有効状態と感知無効状態とに切り換える。さらに、感知有効状態に切り換える場合は、非接触式センサとして利用してもよいし、静電容量式非接触センサＳ２と静電容量式非接触センサＳ３の感知感度を極力低くして接触式センサとして利用してもよい。スライド窓２１が全閉位置に位置しているか否かは、図示を省略したスライド窓位置検出センサの検知結果に基づいて制御手段Ｃが判定する（スライドドア１２が全閉位置に位置しているか否かは、上記全閉検知センサの検知結果に基づいて制御手段Ｃが判定する）。
【００２２】
静電容量式非接触センサＳ２と静電容量式非接触センサＳ３の感知有効状態と感知無効状態との切り換えは、図７に示す表の態様で行う。
即ち、スライド窓２１が全閉位置にある状態でスライドドア１２を開方向にスライドさせるときは（状態１）、ドア開口１１の前縁部とスライドドア１２の前縁部の間、及び窓孔２０とスライド窓２１の間で人の衣服等（以下、障害物と呼ぶ）が挟みこまれることはないので、静電容量式非接触センサＳ２と静電容量式非接触センサＳ３には制御手段Ｃから電力を供給せず共に感知無効状態にする。
スライド窓２１が全閉位置にある状態でスライドドア１２を閉方向にスライドさせるときは（状態２）、ドア開口１１の前縁部とスライドドア１２の前縁部の間で障害物を挟み込むおそれがあるので、この場合は静電容量式非接触センサＳ３のみを感知有効状態にする。
スライド窓２１が開放位置に位置する状態でスライドドア１２を開方向にスライドさせるときは（状態３）、窓孔２０とドア開口１１の後縁部の間で障害物を挟み込むおそれがあるので、この場合は静電容量式非接触センサＳ２のみを感知有効状態にする。
スライド窓２１が開放位置に位置する状態でスライドドア１２を閉方向にスライドさせるときは（状態４）、ドア開口１１の前縁部とスライドドア１２の前縁部の間で障害物を挟みむおそれがあるので、この場合は静電容量式非接触センサＳ３のみを感知有効状態にする。
スライドドア１２が全閉位置にある状態でスライド窓２１を開方向に移動させるときは（状態５）、ドア開口１１の前縁部とスライドドア１２の前縁部の間、及び窓孔２０とスライド窓２１の間で障害物が挟みこまれることはないので、静電容量式非接触センサＳ２と静電容量式非接触センサＳ３は共に感知無効状態にする。
スライドドア１２が全閉位置にある状態でスライド窓２１を閉方向に移動させるときは（状態６）、窓孔２０とスライド窓２１の間で障害物を挟みこむおそれがあるので、静電容量式非接触センサＳ２のみを感知有効状態にする。
スライドドア１２が開放位置にある状態でスライド窓２１を開方向に移動させるときは（状態７）、ドア開口１１の前縁部とスライドドア１２の前縁部の間、及び窓孔２０とスライド窓２１の間で障害物が挟みこまれることはないので、静電容量式非接触センサＳ２と静電容量式非接触センサＳ３は共に感知無効状態にする。
スライドドア１２が開放位置にある状態でスライド窓２１を閉方向に移動させるときは（状態８）、窓孔２０とスライド窓２１の間で障害物が挟みこまれるおそれがあるので静電容量式非接触センサＳ２のみを感知有効状態にする。
このような態様で静電容量式非接触センサＳ２と静電容量式非接触センサＳ３の感知状態を切り換えれば、無駄な電力を使わずに済むので、省エネルギー化を図ることができる。
【００２３】
第１及び第２の実施形態では非接触式センサとして静電容量式非接触センサを利用したが、その他の種類の非接触式センサを利用しても良い。
【図面の簡単な説明】
【００２４】
【図１】本発明の第１の実施形態である自動車全体の側面図である。
【図２】フューエルリッドが開いたときの自動車の後方から見た斜視図である。
【図３】スライドドアが全閉位置に位置するときの図１のIII−III矢線に沿う横断平面図である。
【図４】スライドドアが全閉位置近傍に位置するときの図３と同様の横断平面図である。
【図５】スライドドアの動作を説明するためのフローチャートである。
【図６】本発明の第２の実施形態の自動車の前部を省略した側面図である。
【図７】２つの静電容量式非接触センサの感知状態の切替態様を示す表である。
【符号の説明】
【００２５】
１０    自動車
１１    ドア開口
１２    スライドドア
１３  １４  スライドレール
１５    開口
１６    フューエルリッド
１７    インナスイッチ
１８    アウタスイッチ
１９    ワイヤレスリモコン
２０    窓孔
２１    スライド窓
Ｃ      制御手段（スライド方向検知手段、センサ感度調整手段）
Ｍ      モータ（強制停止手段、強制開放手段）
Ｓ１    静電容量式非接触センサ（非接触式センサ）
Ｓ１ａ  感知面
Ｓ２  Ｓ３  静電容量式非接触センサ（非接触式センサ）
【図１】
2007308008.tif 000003
【図２】
2007308008.tif 000004
【図３】
2007308008.tif 000005
【図４】
2007308008.tif 000006
【図５】
2007308008.tif 000007
【図６】
2007308008.tif 000008
【図７】
2007308008.tif 000009